(57)【要約】      （修正有）【課題】複雑な製造工程を要しないで、１枚のシート材で安価に製造でき、複数枚のカードを装着する場合でも、簡単に装着でき、保持できるようにすること。【解決手段】シート材２の一部に切れ目を形成し、シート材は、長さ方向の両端部からそれぞれ所定の間隔で折り返して第１の折り返し部３と第２の折り返し部４をなすことによりカード挿入部５と基部６と被覆部７を形成する。該カード挿入部には、所定の位置に該カードと略同幅の長さの切れ目９を形成し、該切れ目の間にカードを挿入させる。該カードの端部を前記第１の折り返し部に当接させ、前記切れ目に形成された二つの線と前記第１の折り返し部とで抑えると共に、前記第２の折り返し部で前記カードの脱落を防止してカードを保持する構成であるため、複雑な製造工程を要せず、１枚のシート材で安価に製造でき、複数枚のカードを装着する場合であっても、簡単に装着、保持できるようにすることができる。【選択図】図１
2005199461.tif 000002
【特許請求の範囲】
【請求項１】
シート材の一部に切れ目を形成して複数のカードを保持できるカード用のホルダーであって、
前記シート材は、該シート材の長さ方向の両端部からそれぞれ所定の間隔で折り返して第１の折り返し部と第２の折り返し部とを形成してカード挿入部と基部と被覆部とを形成し、
該カード挿入部には、所定の位置に該カードと略同幅の長さの切れ目を形成し、
該切れ目の間にカードを挿入させて該カードの端部を前記第１の折り返し部に当接させ、
該挿入されたカードの動きを前記切れ目に形成された二つの線と前記第１の折り返し部とで抑止すると共に、前記第２の折り返し部で前記カードの脱落を防止してカードを保持する構成であること
を特徴とするカード用ホルダー。
【請求項２】
前記切れ目は、
直線状または曲線状であること
を特徴とする請求項１に記載のカード用ホルダー。
【請求項３】
前記切れ目は、
第１の折り返し部と略平行に複数形成させること
を特徴とする請求項１または２に記載のカード用ホルダー。
【請求項４】
前記切れ目は、
端部をカードの挿入方向と略平行に延長して切れ目延長部を形成すること
を特徴とする請求項１乃至３のいずれかに記載のカード用ホルダー。
【請求項５】
前記切れ目または切れ目延長部の端部には、
略円形状の保護部を形成すること
を特徴とする請求項１乃至４のいずれかに記載のカード用ホルダー。
【請求項６】
前記所定の位置は、
第１の折り返し部からカードの全長の略５／８乃至７／８程度の位置であること
を特徴とする請求項１に記載のカード用ホルダー。
【請求項７】
前記所定の間隔は、
シート材の長さ方向の一端部から第１の折り返し部までの間隔がカードの全長よりも長い間隔であり、他端部から第２の折り返し部までの間隔が基部の横幅よりも短い間隔であること
を特徴とする請求項１に記載のカード用ホルダー。
【発明の詳細な説明】
【技術分野】
【０００１】
本発明は、例えば、カード式健康保険証、クレジットカード、キャッシュカード、会員証等の各種カードを安価且つ簡単に整理して保管等できるようにするためのカード用ホルダーに関するものである。
【背景技術】
【０００２】
近年、カード式健康保険証、クレジットカード、キャッシュカード、会員証等の各種のカードが複数存在しており、個人または家族等で所有するカードが複数枚になることがある。
【０００３】
これら複数枚のカードのうち、特に、普段はあまり持ち歩くことがないカードについては、家屋内等に保管しておくことがあるが、普段あまり使用することがないことから、使用時に目的とするカードがなかなか見つからないことがあるため、これら家屋内等に保管しておくことが多いカードをまとめて簡易的に保管等できるホルダーが求められている。
【０００４】
前記カードを保管することができるホルダーとしては、例えば、３辺が閉鎖され１辺が開口された略矩形のポケットを少なくとも一つ以上備えるホルダであって、前記開口された辺の両端から前記ポケットの深さ方向へスリットが形成された、ホルダがある。
【特許文献１】特開２００２−２３３４１２号公報
【０００５】
この特許文献１の公知技術においては、片部材及びシート基材等の複数枚のシート材を重ね合わせ、該重ね合わせたシート材の３辺が閉鎖され１辺が開口された略矩形のポケット、即ち、袋状のポケットが形成されるように縫い付け、前記開口された辺にスリットを形成したものである。
【０００６】
また、１枚のシート材でカードを支持できるものとしては、例えば、カードの対角上に位置する一対の隅部を離脱可能に挿入支持するためのカード支持部たる支持孔を透設し、該一対の支持孔にカードの対角をそれぞれ挿入して、カードの対角を支持するという構成のカード送付用台紙がある。
【特許文献２】特開平７−２２８０７９号公報
【発明の開示】
【発明が解決しようとする課題】
【０００７】
しかしながら、前記普段あまり使用することがないカード等を家屋内等で簡易的に保管しておくためのホルダーとして用いることを検討した場合、該ホルダーは安価であることが好ましいが、前記特許文献１の公知技術においては、このホルダが複数枚のシート材を重ね合わせ、これらシート材を縫い付けて袋状のポケットを形成させるものであることから、多くの材料が必要であると共に、複雑な製造工程を要し、安価に製造することが困難であるという問題点を有している。
【０００８】
また、前記特許文献２の公知技術においては、カードの対角を支持するという構成のものであることから、例えば、プラスチック製等のカードを支持孔に挿入して支持させようとした場合、該カードに柔軟性があまりないため、カード送付用台紙を曲げたり引っ張ったりしながら前記カードの対角をそれぞれの支持孔に挿入させなければならず、また、複数枚のカードを保管しようとした場合には、カードを支持孔に挿入させて装着する作業の困難性が増加するという問題点を有している。
【０００９】
従って、従来のカード用ホルダーにおいては、複雑な製造工程を要しないで、１枚のシート材で安価に製造でき、複数枚のカードをカード用ホルダーに装着する場合であっても、簡単に装着できて保持できるようにするということに解決しなければならない課題を有している。
【課題を解決するための手段】
【００１０】
上記した従来例の課題を解決する具体的手段として本発明に係るカード用ホルダーは、シート材の一部に切れ目を形成して複数のカードを保持できるカード用のホルダーであって、前記シート材は、該シート材の長さ方向の両端部からそれぞれ所定の間隔で折り返して第１の折り返し部と第２の折り返し部とを形成してカード挿入部と基部と被覆部とを形成し、該カード挿入部には、所定の位置に該カードと略同幅の長さの切れ目を形成し、該切れ目の間にカードを挿入させて該カードの端部を前記第１の折り返し部に当接させ、該挿入されたカードの動きを前記切れ目に形成された二つの線と前記第１の折り返し部とで抑止すると共に、前記第２の折り返し部で前記カードの脱落を防止してカードを保持する構成であることを最も主要な特徴とする。
【００１１】
この発明において、前記切れ目は、直線状または曲線状であること；前記切れ目は、第１の折り返し部と略平行に複数形成させること；前記切れ目は、端部をカードの挿入方向と略平行に延長して切れ目延長部を形成すること；前記切れ目または切れ目延長部の端部には、略円形状の保護部を形成すること；前記所定の位置は、第１の折り返し部からカードの全長の略５／８乃至７／８程度の位置であること；前記所定の間隔は、シート材の長さ方向の一端部から第１の折り返し部までの間隔がカードの全長よりも長い間隔であり、他端部から第２の折り返し部までの間隔が基部の横幅よりも短い間隔であること；を付加的な要件として含むものである。
【発明の効果】
【００１２】
以上説明したように、本発明に係るカード用ホルダーは、シート材の一部に切れ目を形成して複数のカードを保持できるカード用のホルダーであって、前記シート材は、該シート材の長さ方向の両端部からそれぞれ所定の間隔で折り返して第１の折り返し部と第２の折り返し部とを形成してカード挿入部と基部と被覆部とを形成し、該カード挿入部には、所定の位置に該カードと略同幅の長さの切れ目を形成し、該切れ目の間にカードを挿入させて該カードの端部を前記第１の折り返し部に当接させ、該挿入されたカードの動きを前記切れ目に形成された二つの線と前記第１の折り返し部とで抑止すると共に、前記第２の折り返し部で前記カードの脱落を防止してカードを保持する構成であることにより、１枚のシート材に切れ目を形成させるだけという簡単な工程でカード用ホルダーを製造することができ、従来の袋状に形成する等の複雑な製造工程を要しないため、製造コストを削減して安価に製造することができ、複数枚のカードをカード用ホルダーに装着させる場合であっても、カード用ホルダーに複数の切れ目を形成して、該切れ目に複数のカードを挿入させるだけという簡単な作業で装着でき、更に、複数のカードを重ねて保持できるため、省スペースで保管が可能になるという優れた効果を奏する。
【発明を実施するための最良の形態】
【００１３】
本発明に係るカード用ホルダーは、例えば、カード式健康保険証、クレジットカード、キャッシュカード、会員証等の各種カードを安価且つ簡単に整理して保管等できるようにするためものであり、シート材の一部に切れ目を形成して複数のカードを保持できるカード用のホルダーであって、前記シート材は、該シート材の長さ方向の一端部から前記カードの全長よりも長い位置の第１の折り返し部と、他端部から該第１の折り返し部の長さよりも短い位置の第２の折り返し部とでそれぞれ折り返してカード挿入部と基部と被覆部とを形成し、該カード挿入部には、所定の位置に該カードと略同幅の長さの切れ目を略平行に複数形成し、該切れ目の間にカードを挿入させて該カードの端部を前記第１の折り返し部に当接させ、該挿入されたカードの動きを前記切れ目に形成された二つの線と前記第１の折り返し部とで抑止すると共に、前記第２の折り返し部で前記カードの脱落を防止してカードを保持する構成にすることにより実現される。
【実施例１】
【００１４】
次に、本発明を具体的な実施の形態に基づいて詳しく説明する。
本発明に係るカード送付用台紙の実施例１を図１〜図４を用いて説明する。図１に、カード用ホルダー１のシート材２を折り返して使用する状態にするときに内側になる面を略示的に示した平面図を示してある。
【００１５】
カード用ホルダー１は、例えば、矩形状等のシート材２の長さ方向の両端部からそれぞれ所定の間隔で折り返して第１の折り返し部３と第２の折り返し部４とを形成させており、該第１の折り返し部３と第２の折り返し部４とにより前記シート材２を分割して、該シート材２にカード挿入部５と基部６と被覆部７とを形成させている。これら第１の折り返し部３と第２の折り返し部４とには、罫線等を設けても良い。
【００１６】
カード挿入部５の横幅、即ち、シート材２の長さ方向の一端部から第１の折り返し部３までの所定の間隔としては、保管するカード８の全長よりも長い間隔であることが好ましく、例えば、保管するカード８の全長が略８６ｍｍ程度の長さである場合には、シート材２の長さ方向の一端部から第１の折り返し部３までの間隔が略９５〜１０５ｍｍ程度の長さにすることが良い。
【００１７】
また、被覆部７の横幅、即ち、シート材２の長さ方向の他端部から第２の折り返し部４までの所定の間隔としては、前記基部６の横幅よりも短い間隔であることが好ましく、例えば、前記全長が略８６ｍｍ程度の長さのカード８を保管する場合には、シート材２の長さ方向の他端部から第２の折り返し部４までの間隔が略８５〜１０５ｍｍ程度の長さにすることが良い。
【００１８】
基部６の横幅、即ち、第１の折り返し部３と第２の折り返し部４との間隔としては、前記カード挿入部５の横幅と被覆部７の横幅とのいずれの横幅よりも長い横幅であり、シート材２を第１の折り返し部３と第２の折り返し部４とで折り返したときにカード挿入部５の一部と被覆部７の一部とが重なり合う程度の長さであれば良く、例えば、カード挿入部５の横幅を１０２ｍｍとし、被覆部７の横幅を９０ｍｍとした場合には、基部６の横幅を１０５ｍｍ程度の長さにすることが良い。
【００１９】
要するに、シート材２を第１の折り返し部３と第２の折り返し部４とで折り返した際、カード挿入部５と被覆部７とが基部６よりもはみ出さない横幅に形成されていれば良く、また、シート材２の被覆部７の端部と第１の折り返し部３とが僅かにでもズレているようにすることが良く、このように被覆部７の端部と第１の折り返し部３とをずらすことにより、折り返されたカード用ホルダー１を開きやすくすることができるのである。
【００２０】
カード挿入部５の所定の位置には、保管するカード８と略同幅の長さの複数の切れ目９を形成させている。該切れ目９は、１枚のカード８につき１つの切れ目９を形成させるものであり、即ち、１つの切れ目９を１枚のカード８に一対一で対応させて保持できるようにするものである。
【００２１】
この切れ目９を形成する方法としては、例えば、カード用ホルダー１の外形を形成する型に切れ目９を形成するための型も併せて形成し、シート材を裁断してカード用ホルダー１の外形を形成するのと同時に切れ目９を形成する方法等により、切れ目９を形成することができる。
【００２２】
切れ目９の長さとしては、保管するカード８と略同幅の長さの切れ目９が形成されていれば良く、例えば、直線状または曲線状等の形状で形成させても良いが、切れ目９の形状を曲線状にすることにより、カード８の挿入を容易にできると共に、切れ目９に形成された二つの線、即ち、該切れ目９の間にカード８を挿入させた際に、該カード８の表面側と裏面側とにそれぞれ接する二つの線が、該カード８に接する長さを長くする、即ち、該カード８と前記二つの線との接触面積を広くすることにより、該カード８を保持する安定性を高くすることができるのである。また、前記切れ目９の長さは、厚みのあるカード８を保管する場合には、該カード８の幅よりも稍長く形成させても良い。
【００２３】
また、切れ目９は、端部をカード８の挿入方向を示す矢印ａと略平行に延長して切れ目延長部９ａを形成させても良く、このように切れ目９の端部をカード８の挿入方向と略平行に延長して切れ目延長部９ａを形成させることにより、切れ目８により形成される開口を広くしてカード８の挿入を容易にできるようになる。なお、この切れ目延長部９ａは、図においては、切れ目８の端部をカード８の挿入方向を示す矢印ａと同一の方向に延長させた場合について示してあるが、該カード８の挿入方向を示す矢印ａと反対の方向に延長させても良い。
【００２４】
この切れ目９は、第１の折り返し部３と略平行に形成させることが好ましく、また、１つのカード用ホルダー１で複数のカード８（図では５枚）を保管する場合には、第１の折り返し部３と略平行に複数の切れ目９を形成させても良い。
【００２５】
このように、第１の折り返し部３と略平行に複数の切れ目９を形成させ、複数のカード８を保管することにより、複数のカード８を重ねて保管することができるため、従来技術のように、保管するカードの枚数よりも大きな面積を有するカード送付用台紙が必要なく、保管時の省スペース化を図ることができるのである。
【００２６】
カード挿入部５に切れ目９を形成させる所定の位置としては、第１の折り返し部からカード８の全長、即ち、該カード８の挿入方向矢印ａの方向の長さの略５／８乃至７／８程度の位置に形成させることが好ましい。第１の折り返し部からカード８の全長の略５／８よりも短い場合には、カード８を保持する安定性が低下し、略７／８よりも長い場合には、被覆部７を開いてカード８を確認する際に、該カード８の表面がほとんど見えないため、確認性が低下するからである。
【００２７】
図２に、カード用ホルダー１を内側に折り返して使用する状態にしカードを装着させたときを略示的に示した平面図を示し、図２のＡ−Ａ線に沿うカード用ホルダー１を拡大し略示的に示した断面図を図３に示してある。カード用ホルダー１は、シート材２を第１の折り返し部３と第２の折り返し部４とで内側に折り返す、即ち、カード用ホルダー１を使用状態にし、カード挿入部５に形成された切れ目９の間にカード８を挿入させてカード用ホルダー１に装着させる。
【００２８】
切れ目９の間に挿入させたカード８を挿入方向矢印ａの方向に十分に差し込んでカード用ホルダー１に装着させると、前記カード８の端部８ａがカード挿入部５と基部６との間に形成されている第１の折り返し部３に当接させることができる。
【００２９】
このように、カード挿入部５と基部６との間に形成されている第１の折り返し部３にカード８の端部８ａを当接させることにより、該カード８には、切れ目９に形成された二つの線と、第１の折り返し部３との間に接触抵抗が生ずるようになるため、カード用ホルダー１内における前記カード８の動きが抑止されるようになるのである。
【００３０】
そして、カード８の端部８ａの他端側には、シート材２の基部６と被覆部７との間に第２の折り返し部４が形成されているため、仮に、カード８の位置がズレて第２の折り返し部４側に移動したとしても、カード８の端部８ｂが、図３の仮想線で示したように第２の折り返し部４に当接することになるため、前記カード８の動きの範囲が制限されて、該カード８が脱落することを防止することができるのである。
【００３１】
このように、切れ目９に形成された二つの線と、第１の折り返し部３とでカード８の動きを抑止すると共に、第２の折り返し部４で該カード８の脱落を防止することにより、カード用ホルダー１でカード８を保持して保管等することができるようになり、１枚のシート材２に切れ目８を形成させるだけという簡単な工程でカード用ホルダー１を製造することができ、従来の袋状に形成する等の複雑な製造工程を要しないため、製造コストを削減して安価に製造することができ、複数枚のカード８をカード用ホルダー１に装着させる場合であっても、カード用ホルダー１に複数の切れ目９を形成することで、複数のカード８を装着できるようになって、該装着においても、切れ目９にカード８を挿入させるだけという簡単な作業で装着でき、更に、複数のカード８を重ねて保持できるため、省スペースで保管が可能になるのである。
【００３２】
図４に、シート材２を第１の折り返し部３と第２の折り返し部４とで折り返してカード用ホルダー１を使用状態にしたときを略示的に示した平面図を示してある。カード用ホルダー１は、例えば、シート材２の表・裏面、即ち、該シート材２を折り返して使用する状態にしたときに内側になる面・外側になる面にカードの使用・保管等の注意事項等を印刷し、パンフレット等として配布しても良い。
【００３３】
このように、カード用ホルダー１にカード８を装着させた状態で、該カード用ホルダー１を使用状態に折り返して前記装着させたカード８を保管している際には、該カード８の表面側は、被覆部７により保護されているため、該カード８の表面が傷つくこと等が生じないのである。
【実施例２】
【００３４】
次に、本発明に係る実施例２のカード用ホルダー２１を図５を用いて説明する。なお、この実施例２においては、前記実施例１の切れ目９の切れ目延長部９ａの端部に円形の保護部２２を形成させたものであり、その他の構成については、前記実施例１と実質的に同一であるため、前記実施例１と実質的に同一の部分については、同一の符号を付し、説明が重複するため、その詳細な説明は省略する。
【００３５】
図５に、実施例２のカード用ホルダー２１のシート材２を折り返して使用する状態にするときに内側になる面を略示的に示した平面図を示してある。この実施例２においては、切れ目９の端部に形成された切れ目延長部９ａの端部に略円形状の保護部２２を形成させている。
【００３６】
このように切れ目延長部９ａの端部に略円形状の保護部２２を形成させることにより、例えば、切れ目９にカード８を挿入させる際等に切れ目延長部９ａの端部にかかる応力を多方向に分散させて緩和させ、該切れ目延長部９ａの端部が裂けることを防止することができるのである。なお、この保護部２２は、切れ目延長部９ａの端部に形成させることに限定するものではなく、例えば、切れ目９の端部に形成させても良い。
【実施例３】
【００３７】
次に、本発明に係る実施例３のカード用ホルダー３１を図６を用いて説明する。なお、この実施例３においては、前記実施例１の切れ目９の形状を直線状に変えたものであり、その他の構成については、前記実施例１と実質的に同一であるため、前記実施例１と実質的に同一の部分については、同一の符号を付し、説明が重複するため、その詳細な説明は省略する。
【００３８】
図６に、実施例３のカード用ホルダー３１のシート材２を折り返して使用する状態にするときに内側になる面を略示的に示した平面図を示してある。この実施例３においては、カード挿入部５に形成させる切れ目３２の形状を直線状に形成させたものである。
【００３９】
このように、切れ目３２の形状は直線状に形成させることにより、該切れ目３２を形成させる型の形状を簡単にできるため、該切れ目３２の形成がより一層容易になるのであり、例えば、厚みの薄いカード８等をカード用ホルダー３１で保持・保管する場合には、前記切れ目３２が直線状であってもカード８の挿入が容易なのである。
【図面の簡単な説明】
【００４０】
【図１】本発明の実施例１に係るカード用ホルダーのシート材を折り返して使用する状態にするときに内側になる面を略示的に示した平面図である。
【図２】同カード用ホルダーを折り返して使用する状態にしカードを装着させたときを略示的に示した平面図である。
【図３】同カード用ホルダーの図２のＡ−Ａ線に沿うカード用ホルダーを拡大し略示的に示した断面図である。
【図４】同カード用ホルダーのシート材を第１の折り返し部と第２の折り返し部とで折り返して使用状態にしたときを略示的に示した平面図である。
【図５】本発明の実施例２に係るカード用ホルダーのシート材を折り返して使用する状態にするときに内側になる面を略示的に示した平面図である。
【図６】本発明の実施例３に係るカード用ホルダーのシート材を折り返して使用する状態にするときに内側になる面を略示的に示した平面図である。
【符号の説明】
【００４１】
１、２１、３１  カード用ホルダー
２  シート材
３  第１の折り返し部
４  第２の折り返し部
５  カード挿入部
６  基部
７  被覆部
８  カード
８ａ、８ｂ  カードの端部
９、３２  切れ目
９ａ  切れ目延長部
２２  保護部
ａ  カードの挿入方向
【図１】
2005199461.tif 000003
【図２】
2005199461.tif 000004
【図３】
2005199461.tif 000005
【図４】
2005199461.tif 000006
【図５】
2005199461.tif 000007
【図６】
2005199461.tif 000008